(57)【特許請求の範囲】
【請求項１】
表面に隠蔽インキ塗膜を有する紙片の搬送方向に沿って、それぞれ紙片を下側から受け、しかも紙片の搬送方向に回転される送り込みローラ、爪受けローラおよび送り出しローラが順次設けられており、
上記送り込みローラ上には、送り込みローラとの間に紙片を挟み込む送り込み押えローラが設けられ、上記爪受けローラ上には、爪受けローラに対して昇降され、降下時に搬送される紙片の表面に接触して隠蔽インキ塗膜を剥離する剥離爪が設けられていると共に、上記送り出しローラ上には、送り出しローラに対して昇降され、降下時に送り出しローラとの間に紙片を挟み込む送り出し押えローラが設けられており、
更に、上記送り出し押えローラと剥離爪を昇降させる昇降装置が、降下時に、剥離爪の紙片の表面との接触に先だって送り出し押えローラと送り出しローラ間へ紙片を挟み込ませ、上昇時に、送り出し押えローラの上昇に先立って剥離爪を上昇させるものであることを特徴とする隠蔽インキ塗膜剥離装置。
【請求項２】
昇降される剥離爪と接触する剥離インキ除去ブラシと、爪受けローラの周面と接触する剥離インキ除去ブレードとを備えていることを特徴とする請求項１に記載の隠蔽インキ塗膜剥離装置。
【請求項３】
送り出し押えローラと剥離爪を昇降させる昇降装置が、
それぞれ先端部に剥離爪および送り出し押えローラを有し、中間部に設けられた共通の傾動軸を支点にして上下に傾動可能な剥離爪支持アームおよび送り出し押えローラ支持アームと、
上記剥離爪支持アームおよび送り出し押えローラ支持アームの後端部をそれぞれ上方に牽引するスプリングと、
上記剥離爪支持アームの後端部側を上方から押え、回転駆動されることによって剥離爪支持アームを上下に傾動させるカムと、
送り出し押えローラ支持アームの先端部を剥離爪支持アームの先端部と共に下方へ傾動させ、剥離爪支持アームの先端部の単独での下方への傾動を許容する係止部とを有することを特徴とする請求項１または２に記載の隠蔽インキ塗膜剥離装置。
【請求項４】
送り込みローラと送り込み押えローラ間への紙片の差し込みを検知して、送り込みローラ、爪受けローラおよび送り出しローラを回転駆動させるセンサーと、送り込みローラと送り込み押えローラによる紙片の送り込みを検知し、カムを回転駆動させるセンサーとを有することを特徴とする請求項３に記載の隠蔽インキ塗膜剥離装置。
【発明の詳細な説明】
【０００１】
【発明の属する技術分野】
本発明は、例えば抽選番号や当たり・外れの表記を隠蔽インキ塗膜で覆い隠した宝くじや各種抽選券などの隠蔽インキ塗膜を有する紙片から隠蔽インキ塗膜を自動的に剥離する隠蔽インキ塗膜剥離装置に関する。
【０００２】
【従来の技術】
従来、隠蔽インキ塗膜剥離装置としては、隠蔽インキ塗膜を有する紙片の両端を、上下から無端ベルトで挟み付けて搬送すると共に、搬送中の紙片にワイヤブラシを押し当て、ワイヤブラシの擦り付けによって隠蔽インキ塗膜を剥離することができるようにしたものが知られている（特開昭６０−２３９３００号公報）。
【０００３】
【発明が解決しようとする課題】
しかしながら、上記従来の隠蔽インキ剥離装置の場合、ワイヤブラシの擦り付けによって剥離された隠蔽インキ塗膜が周囲に飛び散りやすく、紙片に再付着し、汚れの原因となったり、無端ベルトなどの剥離装置の部品に付着し、紙片の搬送や剥離状態を不安定にする問題がある。
【０００４】
本発明は、上記従来の問題点に鑑みてなされたもので、隠蔽インキ塗膜を飛び散らすことなく確実に剥離することができるようにすることを目的とする。更に具体的には、剥離した隠蔽インキ塗膜の紙片への再付着や剥離装置の部品への付着を防止しつつ、確実に隠蔽インキを剥離することができるようにすることを目的とする。
【０００５】
【課題を解決するための手段】
本発明は、上記目的のために、表面に隠蔽インキ塗膜を有する紙片の搬送方向に沿って、それぞれ紙片を下側から受け、しかも紙片の搬送方向に回転される送り込みローラ、爪受けローラおよび送り出しローラが順次設けられており、上記送り込みローラ上には、送り込みローラとの間に紙片を挟み込む送り込み押えローラが設けられ、上記爪受けローラ上には、爪受けローラに対して昇降され、降下時に搬送される紙片の表面に接触して隠蔽インキ塗膜を剥離する剥離爪が設けられていると共に、上記送り出しローラ上には、送り出しローラに対して昇降され、降下時に送り出しローラとの間に紙片を挟み込む送り出し押えローラが設けられており、更に、上記送り出し押えローラと剥離爪を昇降させる昇降装置が、降下時に、剥離爪の紙片の表面との接触に先だって送り出し押えローラと送り出しローラ間へ紙片を挟み込ませ、上昇時に、送り出し押えローラの上昇に先立って剥離爪を上昇させるものであることを特徴とする隠蔽インキ塗膜剥離装置を提供するものである。
【０００６】
上記本発明は、昇降される剥離爪と接触する剥離インキ除去ブラシと、爪受けローラの周面と接触する剥離インキ除去ブレードとを備えていること、
送り出し押えローラと剥離爪を昇降させる昇降装置が、それぞれ先端部に剥離爪および送り出し押えローラを有し、中間部に設けられた共通の傾動軸を支点にして上下に傾動可能な剥離爪支持アームおよび送り出し押えローラ支持アームと、上記剥離爪支持アームおよび送り出し押えローラ支持アームの後端部をそれぞれ上方に牽引するスプリングと、上記剥離爪支持アームの後端部側を上方から押え、回転駆動されることによって剥離爪支持アームを上下に傾動させるカムと、送り出し押えローラ支持アームの先端部を剥離爪支持アームの先端部と共に下方へ傾動させ、剥離爪支持アームの先端部の単独での下方への傾動を許容する係止部とを有すること、
送り込みローラと送り込み押えローラ間への紙片の差し込みを検知して送り込みを検知し、送り込みローラ、爪受けローラおよび送り出しローラを回転駆動させるセンサーと、送り込みローラと送り込み押えローラによる紙片の送り込みを検知し、カムを回転駆動させるセンサーとを有すること、
をその好ましい態様として含むものである。
【０００７】
【発明の実施の形態】
以下、本発明に係る隠蔽インキ塗膜剥離装置の一例を、図１〜図７に基づいて説明する。
【０００８】
図１は、本発明に係る隠蔽インキ塗膜剥離装置の側面概略図、図２は、図１に示される昇降装置の平面図、図３は、図１に示される昇降装置の縦断面図、図４〜図７は、昇降装置の作動状態の説明図で、図４は、カムの回転駆動を開始した状態を示す図、図５は、送り出し押えローラの降下により、送り出しローラと送り出し押えローラ間に紙片を挟み込んだ状態を示す図、図６は、剥離爪が紙片表面に接触するまで降下した状態を示す図、図７は、剥離爪が上昇を開始した状態を示す図である。なお、図１〜図７において、同じ符号は同じ部材を示す。
【０００９】
図１に示されるように、表面に隠蔽インキ塗膜を有する紙片１の搬送方向（図１における左から右方向）に沿って、それぞれ紙片１を下側から受ける送り込みローラ２、爪受けローラ３および送り出しローラ４が順次設けられている。この送り込みローラ２、爪受けローラ３および送り出しローラ４には、一連の駆動ベルト５が掛け渡されており、搬送用モータ６によって、紙片１の搬送方向に等しい周速度で回転されるものとなっている。
【００１０】
送り込みローラ２上には、送り込み押えローラ７が設けられている。この送り込み押えローラ７は、送り込み押えローラ支持アーム８の先端部に回転自在に設けられており、送り込み押えローラ支持アーム８は、中間部に設けられた傾動軸９を支点にして上下に傾動可能に設けられている。また、送り込み押えローラ支持アーム８の後端部は、スプリング１０によって上方に牽引されている。即ち、送り込み押えローラ支持アーム８は、スプリング１０によって、先端側が下方に傾動する方向に付勢されており、これによって送り込み押えローラ７が送り込みローラ２に対して弾性的に押し付けられている。
【００１１】
爪受けローラ３上には、剥離爪１１が設けられており、送り出しローラ４上には、送り出し押えローラ１２が設けられている。この剥離爪１１と送り出し押えローラ１２は、昇降装置１３によって上下に昇降可能に設けられているもので、以下この昇降装置１３について説明する。
【００１２】
図１〜図３に示されるように、剥離爪１１は、剥離爪支持アーム１４の先端部に設けられており、送り出し押えローラ１２は送り出し押えローラ支持アーム１５の先端部に設けられている。送り出し押えローラ支持アーム１５は、特に図２に示されるように、平面ロ字形をなしており、その内側に、平面Ｔ字形をなす剥離爪支持アーム１４が位置している。剥離爪支持アーム１４と送り出し押えローラ支持アーム１５は、両者の中間部を貫通する共通の傾動軸１６を支点にして上下に傾動可能に設けられている。また、剥離爪支持アーム１４と送り出し押えローラ支持アーム１５の後端部は、それぞれスプリング１７，１８によって上方に牽引されている。即ち、剥離爪支持アーム１４と送り出し押えローラ支持アーム１５は、スプリング１７，１８によって、先端側が下方に傾動する方向に付勢されている。
【００１３】
一方、上記傾動軸１６より後端側の剥離爪支持アーム１４上には、昇降用モータ（図示されていない）によって回転駆動されるカム１９が設けられており、このカム１９の外周面には、剥離爪支持アーム１４に設けられた摺接ピン２０（図３参照）が当接されている。つまり、スプリング１７で上方に牽引されている剥離爪支持アーム１４の後端側は、剥離爪支持アーム１４に設けられた摺接ピン２０がカム１９に押し付けられていることによって、上方への傾動が押さえられている。カム１９は、この状態で回転駆動されるもので、回転駆動により、カム１９の中心から摺接ピン２０との接点までの距離が変動すると、剥離爪支持アーム１４は、傾動軸１６を支点にして上下に傾動されることになる。
【００１４】
本例のカム１９は、図１および図３に示されるように、途中に段部２１を有し、段部２１が上部側から摺接ピン２０の位置を通過する方向に回転されるもので、段部２１の下部より回転方向に徐々に中心からの距離が短くなった後、段部２１の上部に向かって徐々に中心からの距離が増大する外周形状となっている。
【００１５】
剥離爪支持アーム１４の先端部には、係止部２２が突出している。この係止部２２は、送り出し押えローラ支持アーム１５の先端部に下方から当接しており、送り出し押えローラ支持アーム１５の先端がスプリング１８の牽引力によって単独で下方へ傾動するのを係止する一方、剥離爪支持アーム１４の先端部が単独で下方に傾動するのは許容するものとなっている。即ち、係止部２２は、送り出し押えローラ支持アーム１５の先端部を剥離爪支持アーム１４の先端部と共に下方へ傾動させ、剥離爪支持アーム１４の先端部の単独での下方への傾動を許容するものとなっている。
【００１６】
本例における剥離爪１１は、剥離爪支持アーム１４の先端部に設けられた溝部２３（図２参照）に沿って移動させて任意の位置でロックすることが可能で、紙片１の進行方向に対して直角方向に取り付け位置を調節することができるようになっている。このようにしておくと、紙片１に設けられた隠蔽インキ塗膜の位置が変化しても、これに合わせて剥離爪支持アーム１４の位置を調整することができるので好ましい。
【００１７】
また、図１に示される符号２４，２５はセンサーである。センサー２４は、送り込みローラ２と送り込み押えローラ７間への紙片１の差し込みを検知して、搬送用モータ６を起動させて送り込みローラ２、爪受けローラ３および送り出しローラ４を回転駆動させるもので、センサー２５は、送り込みローラ２と送り込み押えローラ７による紙片１の送り込みを検知し、昇降用モータ（図示されていない）を起動させてカム１９を回転駆動させるものである。
【００１８】
更に、図１に示される符号２６，２７は、昇降される剥離爪１１と接触する剥離インキ除去ブラシと、回転する爪受けローラ３の周面と接触する剥離インキ除去ブレードである。剥離インキ除去ブラシ２６を設けておくと、剥離爪１１の昇降時に、剥離爪１１に付着した隠蔽インキ塗膜を自動的に除去することができるので好ましい。また、剥離インキ除去ブレード２７を設けておくと、爪受けローラ３上に落下して付着した隠蔽インキ塗膜を自動的に除去することができるので好ましい。
【００１９】
なお、図１における符号２８は、剥離されて落下してくる隠蔽インキ塗膜を受けるトレイ、符号２９は、剥離を終えて排出される紙片１を受ける排出スタッカである。
【００２０】
次に、図１および図３〜図７に基づいて、上述の隠蔽インキ塗膜剥離装置の作動状態を説明する。
【００２１】
まず、図１および図３に示される状態において、紙片１を送り込みローラ２と送り込み押えローラ７間に差し込む。紙片が送り込みローラ２と送り込み押えローラ７間に突き当たって更に押されると、送り込み押えローラ２が傾動軸９を支点にして若干上方へ押し上げられ、紙片１が送り込みローラ２と送り込み押えローラ７間へ差し込まれる。紙片１が、送り込みローラ２と送り込み押えローラ７間から搬送方向に若干突き出ると、これをセンサー２４が検知し、搬送用モータ６を起動する。
【００２２】
上記搬送用モータ６の起動により、送り込みローラ２、爪受けローラ３および送り出しローラ４が回転し、送り込みローラ２と送り込み押えローラ７間に挟まれた紙片１の先端がセンサー２５の位置まで前進すると、これをセンサー２５が検知し、昇降用モータ（図示されていない）を起動し、図４に示されるようにカム１９の回転駆動が開始される。
【００２３】
図５に示されるように、剥離爪支持アーム１４に設けられた摺接ピン２０の位置に上記カム１９の段部２１が移動し、段部２１の下部に摺接ピン２０が当接する状態となると、この段部２１の段差（高低差）分だけ剥離爪支持アーム１４の後端部がスプリング１７によって引き上げられ、剥離爪支持アーム１４先端側の係止部２２が下方に移動することによって、送り出し押えローラ支持アーム１５の後端部もスプリング１８によって引き上げられる。これによって、剥離爪支持アーム１４と送り出し押えローラ支持アーム１５の先端部は下方へ傾動し、それぞれに設けられた剥離爪１１と送り出し押えローラ１２は降下する。この時、紙片１の先端部が送り出しローラ４上へと搬送されてきており、紙片１の先端部は、送り出しローラ４と、降下した送り出し押えローラ１２間に挟まれる。但し、剥離爪１１は紙片１の表面までは降下しておらず、剥離爪１１の先端は紙片１の表面から浮いた状態にある。
【００２４】
上記図５の状態から更にカム１９が回転すると、カム１９の中心から外周までの距離が更に短くなり、図６に示されるように、既に送り出し押えローラ１２が送り出しローラ４との間に紙片１を挟んでいる送り出し押えローラ支持アーム１５を残して、剥離爪支持アーム１４の先端が単独で下方に傾動し、剥離爪１１の先端が紙片１の表面に押し付けられる。従って、剥離爪１１の先端が紙片１の表面に押し付けられる前に紙片１の先端部を送り出しローラ４と送り出し押えローラ１２の間に挟み込むことができ、紙片１の搬送を安定させて、剥離爪１１の先端が紙片１の表面に押し付けられることによる紙片１の搬送のずれを防止することができる。
【００２５】
上記の状態で、紙片１が搬送され、紙片１表面の隠蔽インキ塗膜部分が剥離爪１１の下を通過する際に、この剥離爪１１によって隠蔽インキ塗膜が剥離される。この剥離は、剥離爪１１によって隠蔽インキ塗膜を削ぎ落とすようにして行われるので、剥離された隠蔽インキ塗膜は周囲に飛び散ることがない。剥離された隠蔽インキ塗膜は、剥離爪１１部分に集積され、紙片１が爪受けローラ３上を通過すると下方に落下される。
【００２６】
上記剥離爪１１による隠蔽インキの剥離は、紙片１が送り出しローラ４と送り出し押えローラ１２間だけに挟まれ、引っ張られて搬送されている状態で行ってもよいが、紙片１の搬送状態を安定させるために、送り込みローラ２と送り込み押えローラ７間にも挟まれた状態で行うことが好ましい。
【００２７】
カム１９の回転に伴い、カム１９の中心と摺接ピン２０との接点間の距離が徐々に大きくなると、図７に示されるように、剥離爪支持アーム１４の後端部がスプリング１７に抗して押し下げられ（剥離爪支持アーム１４の先端部がスプリング１７に抗して押し上げられ）、剥離爪１１の上昇が開始される。この時、剥離爪支持アーム１４の先端部に設けられた係止部２２が送り出し押えローラ支持アーム１５の先端部下面に当接するまで、送り出し押えローラ支持アーム１５はそれまでの降下位置を維持し、送り出しローラ４と送り出し押えローラ１２による紙片１の挟み込みが継続され、隠蔽インキ塗膜が剥離された紙片１を排出スタッカ２９へ排出する。
【００２８】
上記のように、剥離爪１１の上昇が送り出し押えローラ１２の上昇に先行して行われることから、剥離完了後直ちに剥離爪１１を上昇させて紙片１から離すことができ、紙片１が爪受けローラ３上を通過した後も剥離爪１１が降下した位置にあることで爪受けローラ３が損耗することを防止できる。また、剥離爪１１の上昇が開始されても、一定期間送り出し押えローラ１２は降下位置を維持するので、剥離の完了した紙片１の確実な排出が可能となる。
【００２９】
図７に示される状態から更にカム１９が回転すると、カム１９の中心と摺接ピン２０との接点間の距離が更に大きくなり、更に剥離爪支持アーム１４の先端部が押し上げられ、係止部２２が送り出し押えローラ支持アーム１５の先端部下面に当接し、送り出し押えローラ支持アーム１５の先端部を伴って上昇し、図１および図３に示される状態に復帰する。
【００３０】
上記の作動を１サイクルとして、この１サイクルの作動を終了した時点で、次の紙片１がセンサー２４で検知されない場合には、搬送用モータ６と昇降用モータ（図示されていない）の作動が停止され、次の紙片１がセンサー２４で検知された場合には、搬送用モータ６と昇降用モータ（図示されていない）の作動が継続されるようにしておくと、無駄な作動を防止できるので好ましい。
【００３１】
また、前記剥離インキ除去ブラシ２６と剥離インキ除去ブレード２７を設けておくと、継続して多数の紙片１から隠蔽インキ塗膜を除去する際に、剥離された隠蔽インキ塗膜が徐々に剥離爪１１および爪受けローラ３へ付着堆積してしまうのを防止することができる。
【００３２】
以上の例においては、剥離爪１１と送り出し押えローラ１２の昇降を機械的に連動させて行う一組の昇降装置１３を用いたものとなっているが、剥離爪１１を昇降させる昇降装置と、送り出し押えローラ１２を昇降させる昇降装置とを別々に設けることもできる。例えば、昇降装置として２台のエアシリンダを用い、剥離爪１１と送り出し押えローラ１２を、それぞれ電気的に作動を制御した当該エアシリンダにより昇降させることもできる。
【００３３】
【発明の効果】
本発明は、以上説明したとおりのものであり、剥離した隠蔽インキ塗膜が飛び散らないことから、剥離した隠蔽インキ塗膜の紙片への再付着や剥離装置の部品への付着を防止しやすく、しかも確実に隠蔽インキを剥離することができるものである。
【図面の簡単な説明】
【図１】本発明に係る隠蔽インキ塗膜剥離装置の側面概略図である。
【図２】図１に示される昇降装置の平面図である。
【図３】図１に示される昇降装置の縦断面図である。
【図４】カムの回転駆動を開始した状態の昇降装置を示す図である。
【図５】送り出し押えローラの降下により、送り出しローラと送り出し押えローラ間に紙片を挟み込んだ状態の昇降装置を示す図である。
【図６】剥離爪が紙片表面に接触するまで降下した状態の昇降装置を示す図である。
【図７】剥離爪が上昇を開始した状態の昇降装置を示す図である。
【符号の説明】
１    紙片
２    送り込みローラ
３    爪受けローラ
４    送り出しローラ
５    駆動ベルト
６    搬送用モータ
７    送り込み押えローラ
８    送り込み押えローラ支持アーム
９    傾動軸
１０  スプリング（送り込み押えローラ支持アーム用）
１１  剥離爪
１２  送り出し押えローラ
１３  昇降装置
１４  剥離爪支持アーム
１５  送り出し押えローラ支持アーム
１６  傾動軸
１７  スプリング（剥離爪支持アーム用）
１８  スプリング（送り出し押えローラ支持アーム用）
１９  カム
２０  摺接ピン
２１  段部
２２  係止部
２３  溝部
２４  センサー
２５  センサー
２６  剥離インキ除去ブラシ
２７  剥離インキ除去ブレード
２８  トレイ
２９  排出スタッカ
【図１】
0004149724.tif 000002
【図２】
0004149724.tif 000003
【図３】
0004149724.tif 000004
【図４】
0004149724.tif 000005
【図５】
0004149724.tif 000006
【図６】
0004149724.tif 000007
【図７】
0004149724.tif 000008